(57)【要約】【課題】　ＨＤＴＶに使われる等化器及び等化方法を提供する。【解決手段】　ＨＤＴＶの等化器は、データ信号及びトレーニング・シーケンスを含む入力信号を受信し、入力信号の歪曲を補償するＨＤＴＶの等化器において、入力信号再利用部、フィルタ部及び誤差演算部を具備する。入力信号再利用部は所定の等化器出力信号が収束されない場合、トレーニングモードの間貯蔵されたトレーニング・シーケンスをブラインドモードの間所定のフィルタ部に入力する。フィルタ部は入力信号再利用部の出力信号を受信し、所定の誤差信号及び所定の決定値に応答して前記入力信号の歪曲を補償して前記補償された信号を等化器出力信号として出力する。誤差演算部は等化器出力信号を受信して等化器出力信号を一定の近似値に近似させて決定値として発生し、等化器出力信号と決定値との差を誤差信号として発生する。【選択図】　　図４
2004080789.tif 000002
【特許請求の範囲】
【請求項１】
　データ信号及びトレーニング・シーケンスを含む入力信号を受信し、前記入力信号の歪曲を補償する高画質テレビジョン（ＨＤＴＶ）の等化器において、
　所定の等化器出力信号が収束されない場合、トレーニングモードの間貯蔵されたトレーニング・シーケンスをブラインドモードの間所定のフィルタ部に入力する入力信号再利用部と、
　前記入力信号再利用部の出力信号を受信し、所定の誤差信号及び所定の決定値に応答して前記入力信号の歪曲を補償し、前記補償された信号を等化器出力信号として出力する前記フィルタ部と、
前記等化器出力信号を受信して前記等化器出力信号を一定の近似値に近似させて前記決定値として発生し、前記等化器出力信号と前記決定値との差を前記誤差信号として発生する誤差演算部と、
を具備することを特徴とするＨＤＴＶの等化器。
【請求項２】
　前記入力信号再利用部は、
　前記入力信号のうち前記トレーニング・シーケンスを貯蔵するトレーニング・シーケンス貯蔵部と、
　フィールド同期信号に応答して前記入力信号及び前記トレーニング・シーケンス貯蔵部に貯蔵された前記トレーニング・シーケンスのうちのいずれかを選択して出力する第１選択部と、
　再利用制御信号に応答して前記入力信号及び前記第１選択部の出力信号のうちのいずれかを選択して前記フィルタ部に出力する第２選択部と、
を具備することを特徴とする請求項１に記載のＨＤＴＶの等化器。
【請求項３】
　前記第１選択部は、
　前記フィールド同期信号の第１レベルに応答して前記入力信号を出力し、前記フィールド同期信号の第２レベルに応答して前記トレーニング・シーケンスを出力し、
　前記フィールド同期信号は前記入力信号のトレーニングモードでだけ前記第１レベルに発生されることを特徴とする請求項２に記載のＨＤＴＶの等化器。
【請求項４】
　前記第２選択部は、
　前記再利用制御信号の第１レベルに応答して前記第１選択部の出力信号を出力し、前記再利用制御信号の第２レベルに応答して前記入力信号を出力し、
　前記再利用制御信号は前記等化器出力信号が一定の範囲内に収束されなければ、第１レベルに発生されることを特徴とする請求項２に記載のＨＤＴＶの等化器。
【請求項５】
　前記トレーニング・シーケンス貯蔵部は、
　前記トレーニング・シーケンスを貯蔵するレジスタであることを特徴とする請求項１に記載のＨＤＴＶの等化器。
【請求項６】
　データ信号及びトレーニング・シーケンスを含む入力信号を受信し、前記入力信号の歪曲を補償するＨＤＴＶの等化器において、
　所定の等化器出力信号が収束されない場合、トレーニングモードの間貯蔵されたトレーニング・シーケンスをブラインドモードの間所定のフィルタ部に入力する入力信号再利用部と、
　前記入力信号再利用部の出力信号及び所定の復号器出力信号を受信し、所定の誤差信号及び所定の決定値に応答して前記入力信号の歪曲を補償して前記補償された信号を等化器出力信号として出力する前記フィルタ部と、
　前記等化器出力信号を受信して前記等化器出力信号を一定の近似値に近似させて前記決定値として発生し、前記等化器出力信号と前記決定値との差を前記誤差信号として発生する誤差演算部と、
　前記等化器出力信号を受信し、前記等化器出力信号のエラーを補正した前記復号器出力信号発生する復号器と、
を具備することを特徴とするＨＤＴＶの等化器。
【請求項７】
　前記入力信号再利用部は、
　前記入力信号のうち前記トレーニング・シーケンスを貯蔵するトレーニング・シーケンス貯蔵部と、
　フィールド同期信号に応答して前記入力信号及び前記トレーニング・シーケンス貯蔵部に貯蔵された前記トレーニング・シーケンスのうちのいずれかを選択して出力する第１選択部と、
　再利用制御信号に応答して前記入力信号及び前記第１選択部の出力信号のうちのいずれかを選択して前記フィルタ部に出力する第２選択部と、
を具備することを特徴とする請求項６に記載のＨＤＴＶの等化器。
【請求項８】
　前記第１選択部は、
　前記フィールド同期信号の第１レベルに応答して前記入力信号を出力し、前記フィールド同期信号の第２レベルに応答して前記トレーニング・シーケンスを出力し、
　前記フィールド同期信号は前記入力信号のトレーニングモードでだけ前記第１レベルに発生されることを特徴とする請求項７に記載のＨＤＴＶの等化器。
【請求項９】
　前記第２選択部は、
　前記再利用制御信号の第１レベルに応答して前記第１選択部の出力信号を出力し、前記再利用制御信号の第２レベルに応答して前記入力信号を出力し、
　前記再利用制御信号は前記等化器出力信号が一定の範囲内に収束されなければ、第１レベルに発生されることを特徴とする請求項７に記載のＨＤＴＶの等化器。
【請求項１０】
　前記トレーニング・シーケンス貯蔵部は、
　前記トレーニング・シーケンスを貯蔵するレジスタであることを特徴とする請求項６に記載のＨＤＴＶの等化器。
【請求項１１】
　前記フィルタ部は、
　前記入力信号再利用部の出力信号を受信し、前記誤差信号に応答して前記入力信号再利用部の出力信号の誤差が補償された第１出力信号を発生するフィードフォワードフィルタと、
　前記決定値及び前記復号器出力信号を受信し、前記誤差信号に応答して前記決定値の誤差が補償された第２出力信号及び前記復号器出力信号の誤差が補償された第３出力信号を発生するフィードバッグフィルタと、
　前記第２出力信号及び前記第３出力信号を結合して第４出力信号として出力する第１演算部と、
　前記第１出力信号と前記第４出力信号とを結合して前記等化器出力信号として出力する第２演算部と、
を具備することを特徴とする請求項６に記載のＨＤＴＶの等化器。
【請求項１２】
　前記フィードバッグフィルタは、
　前記決定値を受信し、前記誤差信号に応答して前記第２出力信号を発生する第１フィードバッグフィルタと、
　前記復号器出力信号を受信し、前記誤差信号に応答して前記第３出力信号を発生する第２フィードバッグフィルタと、を具備し、
　前記復号器が前記等化器出力信号を受信した後前記復号器出力信号を出力するまでは前記第１フィードバッグフィルタが前記決定値を受信して前記第２出力信号を発生し、
　前記復号器出力信号が出力されれば、前記第２フィードバッグフィルタが前記復号器出力信号を受信して前記第３出力信号を発生することを特徴とする請求項１１に記載のＨＤＴＶの等化器。
【請求項１３】
　前記誤差演算部は、
　前記等化器出力信号を受信し、前記等化器出力信号を一定の近似値に近似させた前記決定値を発生する決定部と、
　前記等化器出力信号と前記決定値との差を前記誤差信号として出力する第３演算部と、
を具備することを特徴とする請求項６に記載のＨＤＴＶの等化器。
【請求項１４】
　前記復号器は、
　トレリス符号化変調（ＴＣＭ）復号器であることを特徴とする請求項６に記載のＨＤＴＶの等化器。
【請求項１５】
　データ信号及びトレーニング・シーケンスを含む入力信号を受信し、前記入力信号の歪曲を補償するＨＤＴＶの等化器において、
　入力信号及び所定の復号器出力信号を受信し、所定の誤差信号及び所定の決定値に応答して前記入力信号の歪曲を補償して前記補償された信号を等化器出力信号として出力するフィルタ部と、
　前記等化器出力信号を受信して前記等化器出力信号を一定の近似値に近似させて前記決定値として発生し、前記等化器出力信号と前記決定値との差を前記誤差信号として発生する誤差演算部と、
　前記等化器出力信号を受信し、前記等化器出力信号のエラーを補正した前記復号器出力信号発生する復号器と、
を具備することを特徴とするＨＤＴＶの等化器。
【請求項１６】
　前記フィルタ部は、
　前記入力信号を受信し、前記誤差信号に応答して前記入力信号の誤差が補償された第１出力信号を発生するフィードフォワードフィルタと、
　前記決定値及び前記復号器出力信号を受信して前記誤差信号に応答して前記決定値の誤差が補償された第２出力信号及び前記復号器出力信号の誤差が補償された第３出力信号を発生するフィードバッグフィルタと、
　前記第２出力信号及び前記第３出力信号を結合して第４出力信号として出力する第１演算部と、
　前記第１出力信号と前記第４出力信号とを結合して前記等化器出力信号として出力する第２演算部と、
を具備することを特徴とする請求項１５に記載のＨＤＴＶの等化器。
【請求項１７】
　前記フィードバッグフィルタは、
　前記決定値を受信し、前記誤差信号に応答して前記第２出力信号を発生する第１フィードバッグフィルタと、
　前記復号器出力信号を受信し、前記誤差信号に応答して前記第３出力信号を発生する第２フィードバッグフィルタと、を具備し、
　前記復号器が前記等化器出力信号を受信した後、前記復号器出力信号を出力する前までは前記第１フィードバッグフィルタが前記決定値を受信して前記第２出力信号を発生し、
　前記復号器出力信号が出力されれば、前記第２フィードバッグフィルタが前記復号器出力信号を受信して前記第３出力信号を発生することを特徴とする請求項１６に記載のＨＤＴＶの等化器。
【請求項１８】
　前記誤差演算部は、
　前記等化器出力信号を受信し、前記等化器出力信号を一定の近似値に近似させた前記決定値を発生する決定部と、
　前記等化器出力信号と前記決定値との差を前記誤差信号として出力する第３演算部と、
を具備することを特徴とする請求項１５に記載のＨＤＴＶの等化器。
【請求項１９】
　前記復号器は、
　ＴＣＭ復号器であることを特徴とする請求項１５に記載のＨＤＴＶの等化器。
【請求項２０】
　データ信号及びトレーニング・シーケンスを含む入力信号を受信し、前記入力信号のトレーニングモードとブラインドモードとを利用して前記入力信号の歪曲を補償するＨＤＴＶの等化器の等化方法において、
　（ａ）入力信号を受信し、フィールド同期信号を検出して等化器の係数を初期化する段階と、
　（ｂ）入力信号のトレーニングモードとブラインドモードとを繰り返して等化器を動作させる段階と、
　（ｃ）前記（ｂ）段階の動作回数が任意に定められた第１臨界適応回数内で前記等化器から出力される等化器出力信号が収束されるか否かを判断する段階と、
　（ｄ）前記等化器出力信号が収束されれば、前記（ｂ）段階に戻り、収束されなければ、前記等化器係数を初期化して入力信号再利用モードで前記等化器を動作させる段階と、
　（ｅ）前記入力信号再利用モードで前記等化器を動作させる回数が任意に定められた第２臨界適応回数内で前記等化器出力信号が収束されるか否かを判断する段階と、
　（ｆ）前記等化器出力信号が収束されれば、前記（ｂ）段階に戻り、収束されなければ、前記（ａ）段階に戻る段階と、
を具備することを特徴とするＨＤＴＶの等化器の等化方法。
【請求項２１】
　前記（ｆ）段階は、
　（ｆ１）前記等化器出力信号が収束されれば、前記等化器出力信号を所定の復号器に印加して前記等化器出力信号に存在する誤差を補償した復号器出力信号を前記等化器内部のフィードバッグフィルタにフィードバッグさせ、前記（ｂ）段階に戻る段階をさらに具備することを特徴とする請求項２０に記載のＨＤＴＶの等化器の等化方法。
【請求項２２】
　前記（ｄ）段階は、
　（ｄ１）所定の再利用制御信号が第２レベルに維持される間はフィールド同期信号の第１レベルに応答して前記入力信号のトレーニング・シーケンスを所定のレジスターに貯蔵し、前記入力信号のトレーニング・シーケンス及びデータ信号を前記等化器に印加して等化器を動作させる段階と、
　（ｄ２）前記再利用制御信号が第１レベルに維持される間は前記フィールド同期信号の第２レベルに応答して前記レジスタに貯蔵された前記入力信号のトレーニング・シーケンスを前記等化器に印加して等化器を動作させる段階と、
を具備することを特徴とする前記請求項２０に記載のＨＤＴＶの等化器の等化方法。
【請求項２３】
　前記フィールド同期信号は、
　前記入力信号のトレーニングモードでだけ前記第１レベルに発生されることを特徴とする請求項２２に記載のＨＤＴＶの等化器の等化方法。
【請求項２４】
　前記再利用制御信号は、
　前記等化器出力信号が一定の範囲内に収束されなければ、第１レベルに発生されることを特徴とする請求項２２に記載のＨＤＴＶの等化器の等化方法。
【請求項２５】
　データ信号及びトレーニング・シーケンスを含む入力信号を受信し、前記入力信号のトレーニングモードとブラインドモードとを利用して前記入力信号の歪曲を補償するＨＤＴＶの等化器の等化方法において、
　（ａ）入力信号を受信し、フィールド同期信号を検出して等化器の係数を初期化する段階と、
　（ｂ）入力信号のトレーニングモードとブラインドモードとを繰り返して等化器を動作させる段階と、
　（ｃ）前記（ｂ）段階の動作回数が任意に定められた第１臨界適応回数内で前記等化器から出力される等化器出力信号が収束されるか否かを判断する段階と、
　（ｄ）前記等化器出力信号が収束されれば、前記等化器出力信号を所定の復号器に印加し、前記等化器出力信号に存在する誤差を補償した復号器出力信号を前記等化器内部のフィードバッグフィルタにフィードバッグさせて前記（ｂ）段階に戻り、前記等化器出力信号が収束されなければ、前記（ａ）段階に戻る段階と、
を具備することを特徴とするＨＤＴＶの等化器の等化方法。
【請求項２６】
　等化器と、
　前記等化器に連結されてデータ列を貯蔵する貯蔵部とを具備し、
　入力信号を前記等化器に出力するか、または前記データ列から出力される信号を前記等化器に出力する信号再利用部を具備することを特徴とするデジタルシステム。
【請求項２７】
　前記データ列は、トレーニング・シーケンスであることを特徴とする請求項２６に記載のデジタルシステム。
【請求項２８】
　前記信号再利用部の出力は前記信号再利用部によって受信される少なくとも２つの制御信号によって制御されることを特徴とする請求項２６に記載のデジタルシステム。
【請求項２９】
　トレーニング・シーケンスをメモリ部に貯蔵する段階と、
　トレーニング・シーケンスから導出された信号を、等化器を第１モードに動作させるために出力するか、またはトレーニング・シーケンスから導出された他の信号を、前記等化器を第２モードに動作させるために出力する段階と、
を具備することを特徴とする方法。
【請求項３０】
　前記第１モードはトレーニングモードであり、前記第２モードはブラインドモードであり、前記それぞれのモードは前記等化器の動作と関係していることを特徴とする請求項２９に記載の方法。
【発明の詳細な説明】
【技術分野】
【０００１】
　本発明は高画質テレビ（ＨＤＴＶ：Ｈｉｇｈ Ｄｅｆｉｎｉｔｉｏｎ Ｔｅｌｅｖｉｓｉｏｎ）に係り、特に、理想的な特性から外れて歪曲されたチャンネルを通過した伝送信号の信号歪曲を補償することによって、受信側でのエラーを減少できる等化器及び等化方法に関する。
【背景技術】
【０００２】
　一般的にＨＤＴＶを含むデジタル通信システムの物理的チャンネルは自由空間である。チャンネルが媒質のない真空状態ならば、理想的なチャンネルに見なされうるが、実際には、伝送信号は空気や大気層などの気象変化によって伝搬される経路が屈折され、多数の多重経路を通過して受信される。
　また、多重経路には、山、崖などの地形や建物によって、伝送信号が反射または透過、伝搬される固定された多重経路と、飛行機、自動車などによって伝送信号が変動的に伝搬される時変化多重経路とがある。
【０００３】
　このような多重経路伝搬では、同じ伝送信号がそれぞれ異なる伝搬時間を有するいくつかの経路を経て伝送されるので、デジタル信号の伝送においては、高速のデジタル通信システムの性能を低下させる最も大きい原因であるシンボルの干渉（ＩＳＩ：Ｉｎｔｅｒ Ｓｙｍｂｏｌ Ｉｎｔｅｒｆｅｒｅｎｃｅ）を発生させる。
　このように、チャンネルは種々の原因によって理想的な特性を満足することなく信号を伝送するので、信号歪曲を発生させる。ＨＤＴＶのようなデジタル伝送方式においては、信号の歪曲が受信側でビット検出エラーを引き起こし、画面全体が復元不能になったり、全く他の画像が出てくるという現象が発生する可能性がある。
【０００４】
　このような現象を克服するために、理想的な特性から外れて歪曲されたチャンネルを通過した伝送信号を処理し、チャンネルの特性を補償することによって、受信側でのビット検出エラーを減少するために、チャンネル等化器が使用される。
　信号が伝送されるチャンネルの特性は前述したように種々の要素によって可変的なので、チャンネル等化器はこのようなチャンネル特性の時間的な変化または状況による変化に適応してチャンネルを等化することが要求される。このような等化技法をチャンネル適応等化という。
　受信された信号から適応的にチャンネルを等化するためには、送信側で一定期間受信機に既知のデータ列を伝送し、受信機はチャンネルを経て歪曲されたデータパルスの波形と既知の元のデータ波形とを比較してチャンネルの歪曲程度を推定する。
【０００５】
　このように、定められたデータ列を伝送する期間をトレーニングモードといい、この期間に伝送されるデータ列をトレーニング・シーケンスという。トレーニング・シーケンスは、一般的に擬似ランダム数列で構成される。
　トレーニングモード期間が終われば、トレーニング・シーケンスの代わりに決定されたデータが使われるが、この期間をブラインドモードという。
　チャンネル等化器では、トレーニング・シーケンスを基準信号とし、等化器出力との差を誤差信号とし、この誤差信号によって等化器の係数を更新する。
【０００６】
　図１は、ＨＤＴＶで伝送されるデータフレームの構造を示す図である。
　１つのデータフレームは２つのフィールドで構成される。１つのフィールドは３１３個のセグメントで構成される。データフレームの基本単位のセグメントは８３２個のシンボルを備え、各セグメントの開始部分には４個のシンボルよりなるセグメント同期信号がある。
　１つのフィールドの第１のセグメントはフィールド同期信号であって、送受信側で既知の一定のパターンを有するので、チャンネル等化器でのトレーニング・シーケンスに使われる。
【０００７】
　フィールド同期信号は周期的に生じ、チャンネルの変化によって伝送される信号のシンボルにエラーが発生すれば、トレーニング・シーケンスを基準として変化されたチャンネル特性が相殺できるように等化器の係数を調節する。
　１つのフィールドでフィールド同期信号を含む第１のセグメントを除外した残りの３１２個のセグメントには実際の情報を貯蔵するデータが存在する。トレーニング・シーケンスを利用したチャンネル等化のためには、送信側と受信側とが互いに知っている一定のパターンのデータを使用しなければならない。
【０００８】
　図２は、一般的な等化器を示すブロック図である。
　図２を参照すれば、一般的な等化器２００はフィードフォワードフィルタ２１０、フィードバッグフィルタ２２０、第１演算部２３０、第２演算部２４０及び決定部２５０を具備する。
　フィードフォワードフィルタ２１０は入力される入力信号ＩＮＤＡＴＡと誤差信号ＥＲＲＶとを受信し、入力信号ＩＮＤＡＴＡの歪曲が補償された第１出力信号ＦＦＯＵＴを出力する。入力信号ＩＮＤＡＴＡは図１に示したＨＤＴＶに伝送されるデータフレームである。
【０００９】
　誤差信号ＥＲＲＶはフィードフォワードフィルター２１０の係数を調節する。係数は入力信号ＩＮＤＡＴＡと乗算され、乗算結果は全て加算されて入力信号ＩＮＤＡＴＡの歪曲がある程度補償された第１出力信号ＦＦＯＵＴが出力される。
　第１演算部２３０は第１出力信号ＦＦＯＵＴを第２出力信号ＦＢＯＵＴと加算して等化器出力信号ＥＱＯＵＴを出力する。第２出力信号ＦＢＯＵＴはフィードバッグフィルタ２２０から出力される。フィードバッグフィルタ２２０は決定部２５０から出力される決定値ＤＣＳＶを受信し、誤差信号ＥＲＲＶに応答して第２出力信号ＦＢＯＵＴを出力する。
【００１０】
　決定値ＤＣＳＶは、入力信号ＩＮＤＡＴＡがフィードフォワードフィルタ２１０を通過して決定部２５０によって決定された一定値である。したがって、フィードバッグフィルタ２２０もフィードフォワードフィルタ２１０と同じく入力信号ＩＮＤＡＴＡの信号歪曲を補償する。
　決定部２５０は等化器出力信号ＥＱＯＵＴを受信し、一定の決定値ＤＣＳＶを出力する。決定値ＤＣＳＶは８つの値、すなわち、７、５、３、１、−１、−３、−５、−７のうち１つを有する。決定部２５０は等化器出力信号ＥＱＯＵＴを前記８つの値のうち１つに近似させて出力する。決定部２５０の詳細なる動作は当業者には自明であるので、詳細説明は省略する。
【００１１】
　第２演算部２４０は、決定値ＤＣＳＶから等化器出力信号ＥＱＯＵＴを減算した値を誤差信号ＥＲＲＶとして出力する。誤差信号ＥＲＲＶはフィードフォワードフィルタ２１０に印加され、フィードフォワードフィルタ２１０の係数を制御してフィードフォワードフィルタ２１０が歪曲された入力信号ＩＮＤＡＴＡを補うようにする。
　第１出力信号ＦＦＯＵＴと第２出力信号ＦＢＯＵＴとが加算されて等化器出力信号ＥＱＯＵＴとして出力される。第１出力信号ＦＦＯＵＴと第２出力信号ＦＢＯＵＴとはモード入力信号ＩＮＤＡＴＡの信号歪曲が補償された信号であるので、結局多重チャンネルによる入力信号ＩＮＤＡＴＡの歪曲が等化器２００を通じて補償される。
【００１２】
　図１のデータ構造と関連してさらに詳しく等化器の動作を説明する。
　誤差信号ＥＲＲＶはトレーニングモードとブラインドモードとによってその値がそれぞれ変わる。まず、等化器２００がトレーニングモードの場合、１つのフィールドの第１のセグメントがトレーニング・シーケンスとして使われる。
【００１３】
　第１のセグメントのシンボルが入力信号ＩＮＤＡＴＡとして等化器２００に入力され、入力信号ＩＮＤＡＴＡはＨＤＴＶ（図示せず）の内部に基準信号としてあらかじめ貯蔵されていたトレーニング・シーケンスのうち７００個のシンボルと比較されて誤差信号ＥＲＲＶが発生する。誤差信号ＥＲＲＶはフィードフォワードフィルタ２１０及びフィードバッグフィルタ２２０の係数を制御して入力信号ＩＮＤＡＴＡの補償をさらに正確にする。
【００１４】
　トレーニングモードが終われば、ブラインドモードが始まる。ブラインドモードは第１のセグメントのトレーニング・シーケンスの代わりに、入力信号ＩＮＤＡＴＡとして第２のセグメントから第３１３のセグメントのデータを利用する。この時、決定部２５０は種々のアルゴリズムを利用して決定値ＤＣＳＶを推定し、第２演算部２４０に印加する。第２演算部２４０は誤差信号ＥＲＲＶを発生し、入力信号ＩＮＤＡＴＡの信号歪曲を補償する。
【００１５】
　一般的に第１のセグメントの７００個のシンボルが等化器のトレーニング・シーケンスとして使われる。ところが、等化器でトレーニング・シーケンスを使用して入力信号の歪曲を補償する場合、等化器の収束性が補償され、収束速度が速いという長所がある反面、ＨＤＴＶの場合、３１３個のセグメントのうち１つのセグメントで７００個のシンボルだけがトレーニング・シーケンスとして使われるという制約がある。
【００１６】
　トレーニング・シーケンスはその長さによって収束速度に多大の影響を及ぼす。すなわち、周期的に繰り返されるトレーニング・シーケンスが長くなるほどトレーニング・シーケンスの次に入力される実際情報データを等化する速度がより速くなる。また、収束後の最終誤差も小さくなる。しかし、一般的な等化器は７００個のシンボルだけをトレーニング・シーケンスとして使用するので、収束速度が遅く、最終誤差が大きいという問題がある。
【発明の開示】
【発明が解決しようとする課題】
【００１７】
　本発明が解決しようとする技術的課題は、外部メモリ及びＴＣＭ（Ｔｒｅｌｌｉｓ ｃｏｄｅｄ Ｍｏｄｕｌａｔｉｏｎ）復号器を利用して収束速度を向上させ、最終誤差を小さくする等化器を提供するところにある。
　本発明が解決しようとする他の技術的課題は、外部メモリ及びＴＣＭ復号器を利用して収束速度を向上させ、最終誤差を小さくする等化器の等化方法を提供するところにある。
【課題を解決するための手段】
【００１８】
　前記技術的課題を達成するための本発明の第１実施例によるＨＤＴＶの等化器は、データ信号及びトレーニング・シーケンスを含む入力信号を受信し、前記入力信号の歪曲を補償するＨＤＴＶの等化器において、入力信号再利用部、フィルタ部及び誤差演算部を具備することを特徴とする。
　入力信号再利用部は、所定の等化器出力信号が収束されない場合、トレーニングモードの間、貯蔵されたトレーニング・シーケンスをブラインドモードの間、所定のフィルタ部に入力する。
【００１９】
　前記フィルタ部は、前記入力信号再利用部の出力信号を受信し、所定の誤差信号及び所定の決定値に応答して前記入力信号の歪曲を補償し、前記補償された信号を等化器出力信号として出力する。
　誤差演算部は、前記等化器出力信号を受信して前記等化器出力信号を一定の近似値に近似させて前記決定値として発生し、前記等化器出力信号と前記決定値との差を前記誤差信号として発生する。
【００２０】
　前記入力信号再利用部は、トレーニング・シーケンス貯蔵部、第１選択部及び第２選択部を具備する。
　トレーニング・シーケンス貯蔵部は、前記入力信号のうち前記トレーニング・シーケンスを貯蔵する。第１選択部はフィールド同期信号に応答して前記入力信号及び前記トレーニング・シーケンス貯蔵部に貯蔵された前記トレーニング・シーケンスのうち何れか１つを選択して出力する。
【００２１】
　第２選択部は、再利用制御信号に応答して前記入力信号及び前記第１選択部の出力信号のうち何れか１つを選択して前記フィルタ部に出力する。
　前記第１選択部は、前記フィールド同期信号の第１レベルに応答して前記入力信号を出力し、前記フィールド同期信号の第２レベルに応答して前記トレーニング・シーケンスを出力し、前記フィールド同期信号は前記入力信号のトレーニングモードでだけ前記第１レベルに発生されることを特徴とする。
【００２２】
　前記第２選択部は、前記再利用制御信号の第１レベルに応答して前記第１選択部の出力信号を出力し、前記再利用制御信号の第２レベルに応答して前記入力信号を出力し、前記再利用制御信号は前記等化器出力信号が一定の範囲内に収束されなければ、第１レベルに発生されることを特徴とする。前記トレーニング・シーケンス貯蔵部は前記トレーニング・シーケンスを貯蔵するレジスタであることを特徴とする。
【００２３】
　前記技術的課題を達成するための本発明の第２実施例によるＨＤＴＶの等化器は、データ信号及びトレーニング・シーケンスを含む入力信号を受信し、前記入力信号の歪曲を補償するＨＤＴＶの等化器において、入力信号再利用部、フィルタ部、誤差演算部及び復号器を具備することを特徴とする。
【００２４】
　入力信号再利用部は、所定の等化器出力信号が収束されない場合、トレーニングモードの間貯蔵されたトレーニング・シーケンスをブラインドモードの間フィルタ部に入力する。前記フィルタ部は前記入力信号再利用部の出力信号及び所定の復号器出力信号を受信し、所定の誤差信号及び所定の決定値に応答して前記入力信号の歪曲を補償して前記補償された信号を等化器出力信号として出力する。
【００２５】
　誤差演算部は、前記等化器出力信号を受信して前記等化器出力信号を一定の近似値に近似させて前記決定値として発生し、前記等化器出力信号と前記決定値との差を前記誤差信号として発生する。
　復号器は、前記等化器出力信号を受信し、前記等化器出力信号のエラーを補正した前記復号器出力信号を発生する。
【００２６】
　前記入力信号再利用部は、トレーニング・シーケンス貯蔵部、第１選択部及び第２選択部を具備する。
　トレーニング・シーケンス貯蔵部は前記入力信号のうち前記トレーニング・シーケンスを貯蔵する。第１選択部はフィールド同期信号に応答して前記入力信号及び前記トレーニング・シーケンス貯蔵部に貯蔵された前記トレーニング・シーケンスのうち何れか１つを選択して出力する。
【００２７】
　第２選択部は再利用制御信号に応答して前記入力信号及び前記第１選択部の出力信号のうち何れか１つを選択して前記フィルタ部に出力する。
　前記第１選択部は、前記フィールド同期信号の第１レベルに応答して前記入力信号を出力し、前記フィールド同期信号の第２レベルに応答して前記トレーニング・シーケンスを出力し、前記フィールド同期信号は前記入力信号のトレーニングモードでだけ前記第１レベルに発生されることを特徴とする。
【００２８】
　前記第２選択部は、前記再利用制御信号の第１レベルに応答して前記第１選択部の出力信号を出力し、前記再利用制御信号の第２レベルに応答して前記入力信号を出力し、前記再利用制御信号は前記等化器出力信号が一定の範囲内に収束されなければ、第１レベルに発生されることを特徴とする。前記トレーニング・シーケンス貯蔵部は前記トレーニング・シーケンスを貯蔵するレジスタであることを特徴とする。
【００２９】
　前記フィルタ部は、フィードフォワードフィルタ、フィードバッグフィルタ、第１演算部及び第２演算部を具備することを特徴とする。
　フィードフォワードフィルタは、前記入力信号再利用部の出力信号を受信し、前記誤差信号に応答して前記入力信号再利用部の出力信号の誤差が補償された第１出力信号を発生する。
　フィードバッグフィルタは、前記決定値及び前記復号器出力信号を受信し、前記誤差信号に応答して前記決定値の誤差が補償された第２出力信号及び前記復号器出力信号の誤差が補償された第３出力信号を発生する。
【００３０】
　第１演算部は前記第２出力信号及び前記第３出力信号を結合して第４出力信号として出力する。第２演算部は前記第１出力信号と前記第４出力信号とを結合して前記等化器出力信号として出力する。
　前記フィードバッグフィルタは、第１フィードバッグフィルタ及び第２フィードバッグフィルタを具備する。
【００３１】
　第１フィードバッグフィルタは前記決定値を受信し、前記誤差信号に応答して前記第２出力信号を発生する。第２フィードバッグフィルタは、前記復号器出力信号を受信し、前記誤差信号に応答して前記第３出力信号を発生する。前記復号器が前記等化器出力信号を受信した後、前記復号器出力信号を出力するまでは前記第１フィードバッグフィルタが前記決定値を受信して前記第２出力信号を発生し、前記復号器出力信号が出力されれば、前記第２フィードバッグフィルタが前記復号器出力信号を受信して前記第３出力信号を発生する。
【００３２】
　前記誤差演算部は、決定部及び第３演算部を具備する。
　決定部は、前記等化器出信号を受信し、前記等化器出力信号を一定の近似値に近似させた前記決定値を発生する。第３演算部は、前記等化器出力信号と前記決定値との差を前記誤差信号として出力する。
　前記復号器はＴＣＭ復号器であることを特徴とする。
【００３３】
　前記技術的課題を達成するための本発明の第３実施例によるＨＤＴＶの等化器は、データ信号及びトレーニング・シーケンスを含む入力信号を受信し、前記入力信号の歪曲を補償するＨＤＴＶの等化器において、フィルタ部、誤差演算部及び復号器を具備することを特徴とする。
　フィルタ部は、入力信号及び所定の復号器出力信号を受信し、所定の誤差信号及び所定の決定値に応答して前記入力信号の歪曲を補償して前記補償された信号を等化器出力信号として出力する。
【００３４】
　誤差演算部は、前記等化器出力信号を受信して前記等化器出力信号を一定の近似値に近似させて前記決定値として発生し、前記等化器出力信号と前記決定値との差を前記誤差信号として発生する。
　復号器は、前記等化器出力信号を受信し、前記等化器出力信号のエラーを補正した前記復号器出力信号を発生する。
　前記フィルタ部はフィードフォワードフィルタ、フィードバッグフィルタ、第１演算部及び第２演算部を具備する。
【００３５】
　フィードフォワードフィルタは、前記入力信号を受信し、前記誤差信号に応答して前記入力信号の誤差が補償された第１出力信号を発生する。フィードバッグフィルターは前記決定値及び前記復号器出力信号を受信して前記誤差信号に応答して前記決定値の誤差が補償された第２出力信号及び前記復号器出力信号の誤差が補償された第３出力信号を発生する。
【００３６】
　第１演算部は前記第２出力信号及び前記第３出力信号を結合して第４出力信号として出力する。第２演算部は、前記第１出力信号と前記第４出力信号とを結合して前記等化器出力信号として出力する。
　前記フィードバッグフィルタは、第１フィードバッグフィルタ及び第２フィードバッグフィルタを具備する。
　第１フィードバッグフィルタは前記決定値を受信し、前記誤差信号に応答して前記第２出力信号を発生する。第２フィードバッグフィルタは前記復号器出力信号を受信し、前記誤差信号に応答して前記第３出力信号を発生する。
【００３７】
　前記復号器が前記等化器出力信号を受信した後、前記復号器出力信号を出力するまでは前記第１フィードバッグフィルタが前記決定値を受信して前記第２出力信号を発生し、前記復号器出力信号が出力されれば、前記第２フィードバッグフィルタが前記復号器出力信号を受信して前記第３出力信号を発生する。
　前記誤差演算部は、決定部及び第３演算部を具備する。
　決定部は、前記等化器出力信号を受信し、前記等化器出力信号を一定の近似値に近似させた前記決定値を発生する。第３演算部は、前記等化器出力信号と前記決定値との差を前記誤差信号として出力する。
　前記復号器はＴＣＭ復号器であることを特徴とする。
【００３８】
　他の技術的課題を達成するための本発明の第１実施例によるＨＤＴＶの等化器の等化方法は、データ信号及びトレーニング・シーケンスを含む入力信号を受信し、前記入力信号のトレーニングモードとブラインドモードとを利用して前記入力信号の歪曲を補償するＨＤＴＶの等化器の等化方法において、（ａ）入力信号を受信し、フィールド同期信号を検出して等化器の係数を初期化する段階、（ｂ）入力信号のトレーニングモードとブラインドモードとを繰り返して等化器を動作させる段階、（ｃ）前記（ｂ）段階の動作回数が任意に定められた第１臨界適応回数内で前記等化器から出力される等化器出力信号が収束されるか否かを判断する段階、（ｄ）前記等化器出力信号が収束されれば、前記（ｂ）段階に戻り、収束されなければ、前記等化器係数を初期化して入力信号再利用モードで前記等化器を動作させる段階、（ｅ）前記入力信号再利用モードで前記等化器を動作させる回数が任意に定められた第２臨界適応回数内で前記等化器出力信号が収束されるか否かを判断する段階、及び（ｆ）前記等化器出力信号が収束されれば、前記（ｂ）段階に戻り、収束されなければ、前記（ａ）段階に戻る段階を具備することを特徴とする。
【００３９】
　前記（ｆ）段階は、（ｆ１）前記等化器出力信号が収束されれば、前記等化器出力信号を所定の復号器に印加して前記等化器出力信号に存在する誤差を補償した復号器出力信号を前記等化器内部のフィードバッグフィルターにフィードバッグさせ、前記（ｂ）段階に戻る段階をさらに具備することを特徴とする。
　前記（ｄ）段階は、（ｄ１）所定の再利用制御信号が第２レベルに維持される間はフィールド同期信号の第１レベルに応答して前記入力信号のトレーニング・シーケンスを所定のレジスタに貯蔵し、前記入力信号のトレーニング・シーケンス及びデータ信号を前記等化器に印加して等化器を動作させる段階、及び（ｄ２）前記再利用制御信号が第１レベルに維持される間は前記フィールド同期信号の第２レベルに応答して前記レジスタに貯蔵された前記入力信号のトレーニング・シーケンスを前記等化器に印加して等化器を動作させる段階を具備することを特徴とする。
【００４０】
　前記フィールド同期信号は、前記入力信号のトレーニングモードでだけ前記第１レベルに発生されることを特徴とする。前記再利用制御信号は前記等化器出力信号が一定の範囲内に収束されなければ、第１レベルに発生されることを特徴とする。
【００４１】
　他の技術的課題を達成するための本発明の第２実施例によるＨＤＴＶの等化器の等化方法は、データ信号及びトレーニング・シーケンスを含む入力信号を受信し、前記入力信号のトレーニングモードとブラインドモードとを利用して前記入力信号の歪曲を補償するＨＤＴＶの等化器の等化方法において、（ａ）入力信号を受信し、フィールド同期信号を検出して等化器の係数を初期化する段階、（ｂ）入力信号のトレーニングモードとブラインドモードとを繰り返して等化器を動作させる段階、（ｃ）前記（ｂ）段階の動作回数が任意に定められた第１臨界適応回数内で前記等化器から出力される等化器出力信号が収束されるかを判断する段階、（ｄ）前記等化器出力信号が収束されれば、前記等化器出力信号を所定の復号器に印加して前記等化器出力信号に存在する誤差を補償した復号器出力信号を前記等化器内部のフィードバッグフィルタにフィードバッグさせ、前記（ｂ）段階に戻って、前記等化器出力信号が収束されなければ、前記（ａ）段階に戻る段階を具備することを特徴とする。
【発明の効果】
【００４２】
　本発明によるＨＤＴＶの等化器及び等化方法は、外部メモリを利用して入力信号のトレーニング・シーケンスをトレーニングモード期間だけでなく、ブラインドモード期間にも等化器に入力して入力信号の収束速度を速くできる長所がある。またＴＣＭ復号器を利用してチャンネルの歪曲をさらに正確に補正できるので、等化器出力信号の最終誤差を縮められる長所がある。
【発明を実施するための最良の形態】
【００４３】
　本発明と本発明の動作上の利点及び本発明の実施によって達成される目的を十分に理解するためには、本発明の望ましい実施例を例示する図面及び図面に記載された内容を参照する必要がある。
　以下、図面を参照して本発明の望ましい実施例を説明することによって、本発明を詳細に説明する。なお、各図面に付された同一参照符号は同一部材を表わす。
【００４４】
　図３は、本発明の第１実施例によるＨＤＴＶの等化器を示すブロック図である。
　図３を参照すれば、本発明の第１実施例による等化器３００は入力信号再利用部３１０、フィルタ部３３０及び誤差演算部３５０を具備する。
　入力信号再利用部３１０は所定の等化器出力信号ＥＱＯＵＴが収束されない場合、トレーニングモードの間貯蔵されたトレーニング・シーケンスをブラインドモードの間フィルタ部３３０に入力する。
　さらに説明すれば、入力信号再利用部３１０はトレーニング・シーケンス貯蔵部３１５、第１選択部３２０及び第２選択部３２５を具備する。
【００４５】
　トレーニング・シーケンス貯蔵部３１５は、入力信号ＩＮＤＡＴＡのうちトレーニング・シーケンスを貯蔵する。第１選択部３２０はフィールド同期信号ＦＳＹＮＣに応答して入力信号ＩＮＤＡＴＡ及びトレーニング・シーケンス貯蔵部３１５に貯蔵されたトレーニング・シーケンスのうちのいずれかを選択して出力する。
　第２選択部３２５は、再利用制御信号ＤＲＣＹＣに応答して入力信号ＩＮＤＡＴＡ及び第１選択部３２０の出力信号ＯＭＵＸ１のうちのいずれかを選択してフィルタ部３３０に出力する。
【００４６】
　第１選択部３２０はフィールド同期信号ＦＳＹＮＣの第１レベルに応答して入力信号ＩＮＤＡＴＡを出力し、フィールド同期信号ＦＳＹＮＣの第２レベルに応答してトレーニング・シーケンスを出力し、フィールド同期信号ＦＳＹＮＣは入力信号ＩＮＤＡＴＡのトレーニングモードでだけ第１レベルに発生される。
【００４７】
　第２選択部３２５は、再利用制御信号ＤＲＣＹＣの第１レベルに応答して第１選択部３２０の出力信号ＯＭＵＸ１を出力し、再利用制御信号ＤＲＣＹＣの第２レベルに応答して入力信号ＩＮＤＡＴＡを出力し、再利用制御信号ＤＲＣＹＣは等化器出力信号ＥＱＯＵＴが一定の範囲内に収束されなければ、第１レベルに発生される。トレーニング・シーケンス貯蔵部３１５はトレーニング・シーケンスを貯蔵するレジスターであることを特徴とする。
【００４８】
　フィルタ部３３０は、入力信号再利用部３１０の出力信号ＯＭＵＸ２を受信し、所定の誤差信号ＥＲＲＶ及び所定の決定値ＤＣＳＶに応答して入力信号ＩＮＤＡＴＡの歪曲を補償して前記補償された信号を等化器出力信号ＥＱＯＵＴとして出力する。
【００４９】
　誤差演算部３５０は、等化器出力信号ＥＱＯＵＴを受信して等化器出力信号ＥＱＯＵＴを一定の近似値に近似させて決定値ＤＣＳＶとして発生させ、等化器出力信号ＥＱＯＵＴと決定値ＤＣＳＶとの差を誤差信号ＥＲＲＶとして発生させる。
　図３の等化器３００の動作は、図６に示すＨＤＴＶの等化器の等化方法（６００段階）と対応している。したがって、図３の等化器３００の動作は図６に示す等化方法（６００段階）と共に説明する。
【００５０】
　図６は、本発明の他の実施例によるＨＤＴＶの等化器の等化方法を示すフローチャートである。
　図６を参照すれば、まず入力信号を受信し、フィールド同期信号を検出して等化器の係数を初期化する（６１０段階）。入力信号のトレーニングモードとブラインドモードとを繰り返して等化器を動作させる（６２０段階）。６２０段階の動作回数が任意に定められた第１臨界適応回数内で等化器から出力される等化器出力信号が収束されるか否かを判断する（６３０段階）。等化器出力信号が収束されれば、６２０段階に戻り、収束されなければ、等化器係数を初期化して入力信号再利用モードで等化器を動作させる（６４０段階）。入力信号再利用モードで前記等化器を動作させる回数が任意に定められた第２臨界適応回数内で等化器出力信号が収束されるか否かを判断する（６５０段階）。等化器出力信号が収束されれば、６２０段階に戻り、収束されなければ、６１０段階に戻る。
【００５１】
　以下、図３及び図６を参照して本発明の第１実施例によるＨＤＴＶの等化器の動作及び等化方法を詳細に説明する。
　一般的な等化器は入力信号が具備するデータの種類によってトレーニングモードとブラインドモードとが交互に動作する。トレーニングモードの間にはトレーニング・シーケンスが等化器に入力されるが、トレーニング・シーケンスによって等化器の等化器出力信号の収束の如何が決定される。
　トレーニング・シーケンスの長さが短いので、一般的な等化器は収束時間が遅くなり、チャンネルが完全に等化され難い。したがって、図１のような改善された等化器が提案される。
【００５２】
　まず、入力信号を受信してフィールド同期信号を検出して等化器の係数を初期化する（６１０段階）。収束速度の向上のためにフィールド同期信号を検出した後、チャンネル推定を通じて等化器３００の係数を初期化する。フィールド同期信号は入力信号の第１のセグメントに含まれているデータである。これは図１に示されている。
　等化器の係数とは、等化器３００の内部のフィルタ３３５、３４０のタップ係数を意味する。チャンネル推定は、フィールド同期信号と入力信号との相関を求めて適正臨界値以上の信号に対して多重経路が存在すると判断する。臨界値以下については相関値を０にする。そして、最も大きい相関値に正規化させた値を等化器３００の初期係数に使用する。
【００５３】
　入力信号のトレーニングモードとブラインドモードとを繰り返して等化器を動作させる（６２０段階）。等化器を動作させる方法は、既存の等化器の動作方法と同一である。入力信号ＩＮＤＡＴＡは入力信号再利用部３１０に印加される。入力信号再利用モードではないので、再利用制御信号ＤＲＣＹＣは第２論理レベルである。ここで、説明の便宜上、第２論理レベルを０とする。
　入力信号ＩＮＤＡＴＡはトレーニングモードとブラインドモードとで構成される。入力信号の第１のセグメントのデータが等化器に入力される時間をトレーニングモードといい、第２のセグメントから第３１３のセグメントまでのデータが等化器に入力される時間をブラインドモードという。
【００５４】
　トレーニングモードでフィールド同期信号ＦＳＹＮＣは第１レベルである。ここでは説明の便宜上、第２論理レベルを１とする。したがって、トレーニングモードである場合、第１選択部３２０は入力信号のトレーニング・シーケンスを選択してトレーニング・シーケンス貯蔵部３１５に貯蔵する。もちろんトレーニング・シーケンスは第２選択部３２５を通じてフィルタ部３３０にも印加される。
【００５５】
　トレーニングモードが終わり、ブラインドモードが始まればフィールド同期信号ＦＳＹＮＣは第２レベルになる。したがって、第１選択部３２０はトレーニング・シーケンス貯蔵部３１５に貯蔵されたトレーニング・シーケンスを出力する。再利用制御信号ＤＲＣＹＣは第２レベルを維持し続けているので、フィルタ部３３０には入力信号ＩＮＤＡＴＡの第２のセグメントから第３１３のセグメントまでのデータが入力される。
【００５６】
　すなわち、再利用制御信号ＤＲＣＹＣが第２レベルである間にはフィルター部３３０と誤差演算部３５０とはトレーニングモードとブラインドモードとの間に入力される入力信号ＩＮＤＡＴＡを利用して等化動作を実行する。
　フィルター部３３０は、フィードフォワードフィルター３３５とフィードバッグフィルター３４０及び第１演算部３４５を具備する。誤差演算部３５０は、決定部３５５と第２演算部３６０とを具備する。フィルタ部３３０と誤差演算部３５０とで行われる等化動作は当業者には自明なので、詳細な動作の説明は省略する。
【００５７】
　入力信号ＩＮＤＡＴＡのトレーニングモードとブラインドモードとを繰り返して等化器に入力して等化器を動作させる６２０段階の動作回数が任意に定められた第１臨界適応回数内で、前記等化器から出力される等化器出力信号が収束されるか否かを判断する（６３０段階）。
【００５８】
　臨界適応回数は１つのフィールド、すなわち、１つのトレーニングモードと１つのブラインドモードとが等化器に入力されることを一回とする。６２０段階の動作が第１臨界適応回数だけ行われた場合、その時の等化器出力信号ＥＱＯＵＴの収束の如何を判断する。第１臨界適応回数は任意に定められる。
　等化器出力信号ＥＱＯＵＴが収束された場合、新しい入力信号ＩＮＤＡＴＡを受信し続けて６２０段階の動作を実行する。等化器出力信号ＥＱＯＵＴが収束されなければ、等化器係数を初期化し、入力信号再利用モードで等化器を動作させる（６４０段階）。
【００５９】
　図８は、図６の６４０段階を説明するフローチャートである。
　図８を参照してさらに具体的に説明する。所定の再利用制御信号が第２レベルに維持される間は、フィールド同期信号の第１レベルに応答して入力信号のトレーニング・シーケンスを所定のレジスターに貯蔵し、入力信号のトレーニング・シーケンス及びデータ信号を前記等化器に印加して等化器を動作させる（８１０段階）。８１０段階の動作は入力信号再利用モードではない場合の入力信号再利用部３１０の動作である。
【００６０】
　ここで、入力信号再利用モードの動作について説明する。
　入力信号再利用モードでは、再利用制御信号が第１レベルに維持される間はフィールド同期信号の第２レベルに応答してレジスタに貯蔵された入力信号のトレーニング・シーケンスを等化器に印加して等化器を動作させる（８２０段階）。
　等化器出力信号ＥＱＯＵＴが収束されないことが検出されれば、別途のアルゴリズムによってフラッグ信号が発生する。フラッグ信号は再利用制御信号ＤＲＣＹＣを第１レベルで活性化させる。ここで、別途のアルゴリズム及びフラッグ信号は当業者であれば理解できるので、詳細な説明は省略する。
【００６１】
　再利用制御信号ＤＲＣＹＣが第１レベルになれば、トレーニング・シーケンス貯蔵部３１５に貯蔵されたトレーニング・シーケンスが入力信号ＩＮＤＡＴＡのブラインドモード期間中にもフィルタ部３３０に印加される。フィールド同期信号ＦＳＹＮＣはトレーニングモードでだけ第１レベルに発生される。したがって、トレーニングモードの間は入力信号ＩＮＤＡＴＡのトレーニング・シーケンスが第１選択部３２０を通じてトレーニング・シーケンス貯蔵部３１５に貯蔵されている。
【００６２】
　そして、ブラインドモードでフィールド同期信号ＦＳＹＮＣが第２レベルになれば、第１選択部３２０はトレーニング・シーケンス貯蔵部３１５に貯蔵されたトレーニング・シーケンスを第１選択部３２０の出力信号ＯＭＵＸ１として出力する。この時、再利用制御信号ＤＲＣＹＣが第１レベルになれば、第２選択部３２５は入力信号ＩＮＤＡＴＡをフィルタ部３３０に印加せずに、第１選択部３２０の出力信号ＯＭＵＸ１、すなわち、トレーニング・シーケンスをフィルタ部３３０に印加する。
【００６３】
　したがって、入力信号ＩＮＤＡＴＡのブラインドモードの間にもフィルタ部３３０にトレーニング・シーケンスが印加される。すると、フィルタ部３３０及び誤差計算部３５０はトレーニング・シーケンスを利用して入力信号ＩＮＤＡＴＡを収束させる動作を実行する。入力信号再利用部３１０の入力信号再利用モードの動作によって、フィルタ部３３０に入力されるトレーニング・シーケンスの長さが入力信号ＩＮＤＡＴＡの１つのフィールドの大きさだけ長くなる。したがって、入力信号ＩＮＤＡＴＡを収束させる収束速度が速くなり、収束された入力信号ＩＮＤＡＴＡの誤差も小さくなる。
【００６４】
　入力信号ＩＮＤＡＴＡを収束させるフィルタ部３３０及び誤差計算部３５０の詳細な動作は後述する。
　ブラインドモードの間に入力されたトレーニング・シーケンスによっても入力信号ＩＮＤＡＴＡが収束されなければ、等化器は入力信号再利用モードで動作し続ける。すなわち、再利用制御信号ＤＲＣＹＣは第１レベルを維持し続ける。そして、入力信号ＩＮＤＡＴＡの新しいトレーニングモードが再び始まれば、フィールド同期信号ＦＳＹＮＣは再び第１レベルに変換される。
【００６５】
　それにより、新しいトレーニング・シーケンスが第１選択部３２０を通じて出力される。出力された新しいトレーニング・シーケンスはトレーニング・シーケンス貯蔵部３１５に貯蔵されると同時に第２選択部３２５を通じてフィルタ部３３０に入力される。トレーニングモードが終わり、新しいブラインドモードになれば、フィールド同期信号ＦＳＹＮＣは第２レベルになる。それにより、第１選択部３２０はトレーニング・シーケンス貯蔵部３１５に貯蔵された新しいトレーニング・シーケンスを選択して出力する。そして、第２選択部３２５は第１選択部３２０の出力信号ＯＭＵＸ１をフィルタ部３３０に入力する。
【００６６】
　入力信号ＩＮＤＡＴＡの新しいブラインドモードの間にもフィルタ部３３０に新しいトレーニング・シーケンスが印加される。それにより、フィルタ部３３０及び誤差計算部３５０は新しいトレーニング・シーケンスを利用して入力信号ＩＮＤＡＴＡを収束させる動作を実行する。
　１つのトレーニングモードと１つのブラインドモードとの期間中、フィルタ部３３０に入力信号ＩＮＤＡＴＡのトレーニング・シーケンスが入力されることを入力信号再利用モードの１回の動作回数とする。入力信号再利用モードの動作回数が任意に定められた第２臨界適応回数、Ｎ２回内で等化器出力信号ＥＱＯＵＴが収束されれば、６２０段階に戻る。
【００６７】
　それから、入力信号再利用モードの動作を停止し、新しい入力信号のトレーニングモードとブラインドモードとを繰り返して等化器３００を動作させる。しかし、Ｎ２回内で等化器出力信号ＥＱＯＵＴが収束されなければ、６１０段階に戻る。この場合は、Ｎ２回の収束動作によっては入力信号ＩＮＤＡＴＡが収束されないことを意味し、そういう入力信号ＩＮＤＡＴＡは放棄し、等化器３００の係数をさらに初期化して等化器３００の等化動作を新しく始めることを意味する（６５０段階）。
【００６８】
　図４は、本発明の第２実施例によるＨＤＴＶの等化器を示すブロック図である。
　図４を参照すれば、図４の等化器４００は入力信号再利用部４１０、フィルタ部４３０、誤差演算部４６５及び復号器４８０を具備する。
　入力信号再利用部４１０の構成及び動作は図３の等化器３００と同一なので、詳細な説明は省略する。
【００６９】
　フィルタ部４３０は、入力信号再利用部４１０の出力信号ＯＭＵＸ２及び所定の復号器出力信号ＤＥＣＯＵＴを受信し、所定の誤差信号ＥＲＲＶ及び所定の決定値ＤＣＳＶに応答して入力信号ＩＮＤＡＴＡの歪曲を補償し、補償された信号を等化器出力信号ＥＱＯＵＴとして出力する。
　さらに説明すれば、フィルタ部４３０はフィードフォワードフィルタ４３５、フィードバッグフィルタ４４０、第１演算部４５５及び第２演算部４６０を具備する。
【００７０】
　フィードフォワードフィルタ４３５は、入力信号再利用部４１０の出力信号ＯＭＵＸ２を受信し、誤差信号ＥＲＲＶに応答して入力信号再利用部４１０の出力信号ＯＭＵＸ２の誤差が補償された第１出力信号ＦＯＵＴ１を発生する。
　フィードバッグフィルタ４４０は、決定値ＤＣＳＶ及び復号器出力信号ＤＥＣＯＵＴを受信し、誤差信号ＥＲＲＶに応答して決定値ＤＣＳＶの誤差が補償された第２出力信号ＦＯＵＴ２及び復号器出力信号ＤＥＣＯＵＴの誤差が補償された第３出力信号ＦＯＵＴ３を発生する。
【００７１】
　具体的に、フィードバッグフィルタ４４０は第１フィードバッグフィルタ４４５及び第２フィードバッグフィルタ４５０を具備する。
　第１フィードバッグフィルタ４４５は、決定値ＤＣＳＶを受信し、誤差信号ＥＲＲＶに応答して第２出力信号ＦＯＵＴ２を発生する。第２フィードバッグフィルタ４５０は復号器出力信号ＤＥＣＯＵＴを受信し、誤差信号ＥＲＲＶに応答して第３出力信号ＦＯＵＴ３を発生する。
【００７２】
　復号器４８０が等化器出力信号ＥＱＯＵＴを受信した後、復号器出力信号ＤＥＣＯＵＴを出力するまでは、第１フィードバッグフィルタ４４５が決定値ＤＣＳＶを受信して第２出力信号ＦＯＵＴ２を発生し、復号器出力信号ＤＥＣＯＵＴが出力されれば、第２フィードバッグフィルタ４５０が復号器出力信号ＤＥＣＯＵＴを受信して第３出力信号ＦＯＵＴ３を発生する。
　第１演算部４５５は第２出力信号ＦＯＵＴ２及び第３出力信号ＦＯＵＴ３を結合して第４出力信号ＦＯＵＴ４として出力する。第２演算部４６０は第１出力信号ＦＯＵＴ１と第４出力信号ＦＯＵＴ４とを結合して等化器出力信号ＥＱＯＵＴとして出力する。
【００７３】
　誤差演算部４６５は、等化器出力信号ＥＱＯＵＴを受信して等化器出力信号ＥＱＯＵＴを一定の近似値に近似させて決定値ＤＣＳＶとして発生し、等化器出力信号ＥＱＯＵＴと決定値ＤＣＳＶとの差を誤差信号ＥＲＲＶとして発生する。
　具体的に説明すれば、誤差演算部４６５は決定部４７０及び第３演算部４７５を具備する。
　決定部４７０は、等化器出力信号ＥＱＯＵＴを受信し、等化器出力信号ＥＱＯＵＴを一定の近似値に近似させた決定値ＤＣＳＶを発生する。第３演算部４７５は等化器出力信号ＥＱＯＵＴと決定値ＤＣＳＶとの差を誤差信号ＥＲＲＶとして出力する。
【００７４】
　復号器４８０は等化器出力信号ＥＱＯＵＴを受信し、等化器出力信号ＥＱＯＵＴのエラーを補正した復号器出力信号ＤＥＣＯＵＴを発生する。復号器４８０はＴＣＭ復号器であることを特徴とする。
　図４の等化器４００の動作は図６及び図７のＨＤＴＶの等化器の等化方法６００、７００と対応する。したがって、図４の等化器４００の動作は図６及び図７の等化方法６００、７００と共に説明する。
【００７５】
　図７は、図６の等化方法に追加される復号器動作を示すフローチャートである。
　図７を参照すれば、図７は図６の６５０段階以後、等化器出力信号が収束されれば、等化器出力信号を所定の復号器に印加して等化器出力信号に存在する誤差を補償した復号器出力信号を等化器内部のフィードバッグフィルタにフィードバッグさせ、６２０段階に戻る段階を示す（７００段階）。
【００７６】
　以下、図４、図６及び図７を参照して本発明の第２実施例によるＨＤＴＶの等化器の動作及び等化方法を詳細に説明する。
　図４の等化器４００は、図３の等化器３００に復号器が追加されたものである。そして、フィードバッグフィルタ４３０の構造が図３のフィードバッグフィルタ３４０と異なる。
　入力信号再利用モードで等化器を動作させ、第２臨界適応回数内に等化器出力信号ＥＱＯＵＴが収束されるか否かを判断する図６の６５０段階までの動作は第２実施例による等化器４００の動作にも含まれる。
【００７７】
　ＡＴＳＣ（Ａｄｖａｎｃｅｄ Ｔｅｌｅｖｉｓｉｏｎ Ｓｙｓｔｅｍｓ Ｃｏｍｍｉｔｔｅｅ）ＶＳＢ（Ｖｅｓｔｉｇｉａｌ Ｓｉｄｅｂａｎｄ）伝送方式で、等化器４００のフィードバッグフィルタ４４０に入力される信号の正確性が等化器４００の性能を左右する。エラーの多い信号がフィードバッグフィルタ４４０に入力されれば、エラーの伝搬現象が発生して、等化器４００はチャンネル歪曲を補償できない。したがって、フィードバッグフィルタ４４０に入力される信号をさらに正確に推定する過程が要求される。
【００７８】
　したがって、等化器出力信号ＥＱＯＵＴが収束された場合、等化器出力信号ＥＱＯＵＴは復号器４８０に印加される。復号器４８０はＴＣＭ復号器として構成することが出来る。ＴＣＭ復号器はビタビ復号器ともいい、モバイル通信や衛星通信システムで、チャンネルに発生するランダムエラーを訂正するために使われ、ランダムエラー訂正能力に優れた復号器である。
【００７９】
　等化器出力信号ＥＱＯＵＴに残存するエラーを復号器４８０を利用して補正し、エラーが補正された復号器出力信号ＤＥＣＯＵＴをフィードバッグフィルタ４４０の入力信号として使用する。それにより、より正確な信号がフィードバッグフィルタ４４０に入力され、エラーの伝搬現象を防止でき、等化器４００の信号対雑音の比（ＳＮＲ：Ｓｉｇｎａｌ−ｔｏ−Ｎｏｉｓｅ Ｒａｔｉｏ）の余裕を高めることが出来る。
【００８０】
　復号器４８０を使用することによって、等化器出力信号ＥＱＯＵＴの復号化に時間がかかる。このような時間遅延の問題を解決するために、フィードバッグフィルタ４４０の構造を第１フィードバッグフィルタ４４５と第２フィードバッグフィルタ４５０とに区分する。
　復号器４８０によって等化器出力信号ＥＱＯＵＴが復号化される間、決定部４７０によって等化器出力信号ＥＱＯＵＴが一定の近似値に推定されて発生される決定値ＤＣＳＶを第１フィードバッグフィルター４４５に入力させる。第１フィードバッグフィルタ４４５は誤差信号ＥＲＲＶに応答して入力された決定値ＤＣＳＶをフィルタリングして第２出力信号ＦＯＵＴ２として出力する。
【００８１】
　したがって、復号器４８０の深さは第１フィードバッグフィルタ４４５の長さと同じである。
　復号器４８０によって等化器出力信号ＥＱＯＵＴの復号化が終わり、復号器出力信号ＤＥＣＯＵＴが発生されれば、復号器出力信号ＤＥＣＯＵＴが第２フィードバッグフィルタ４５０に入力される。第２フィードバッグフィルタ４５０は誤差信号ＥＲＲＶに応答して、入力された決定値ＤＣＳＶをフィルタリングして第３出力信号ＦＯＵＴ３として出力する。
【００８２】
　復号器４８０の動作時間中はエラーの可能性がある決定値をフィードバッグフィルター４４０の入力として使用するが、復号器４８０の動作時間は短い。復号器４８０の動作時間以後は、エラーがほとんど補償された復号器出力信号ＤＥＣＯＵＴがフィードバッグフィルタ４４０の入力に使われるので、エラーの可能性がある信号によるフィードバッグフィルタ４４０でのエラーの伝搬現象が防止され、等化器４００のＳＮＲの余裕を高められる。
【００８３】
　図５は、本発明の第３実施例によるＨＤＴＶの等化器を示すブロック図である。
　図５を参照すれば、本発明の第３実施例によるＨＤＴＶの等化器５００は、フィルタ部５１０、誤差演算部５４５及び復号器５６０を具備する。
　フィルタ部５１０は、入力信号ＩＮＤＡＴＡ及び所定の復号器出力信号ＤＥＣＯＵＴを受信し、所定の誤差信号ＥＲＲＶ及び所定の決定値ＤＣＳＶに応答して入力信号ＩＮＤＡＴＡの歪曲を補償し、補償された信号を等化器出力信号ＥＱＯＵＴとして出力する。フィルタ部５１０の詳細なる構成についての説明は図４のフィルタ部４３０と同一なので省略する。
【００８４】
　誤差演算部５４５は、等化器出力信号ＥＱＯＵＴを受信して等化器出力信号ＥＱＯＵＴを一定の近似値に近似させて決定値ＤＣＳＶとして発生し、等化器出力信号ＥＱＯＵＴと決定値ＤＣＳＶとの差を誤差信号ＥＲＲＶとして発生する。誤差演算部５４５の詳細な構成についての説明は図４の誤差演算部４６５と同一なので省略する。
　復号器５６０は、等化器出力信号ＥＱＯＵＴを受信し、等化器出力信号ＥＱＯＵＴのエラーを補正した復号器出力信号ＤＥＣＯＵＴを発生する。復号器５６０の構成も図４の復号器４８０と同一なので省略する。
　図５の等化器５００の動作は、図９のＨＤＴＶの等化器の等化方法９００に対応する。したがって、図５の等化器５００の動作は図９の等化方法９００と共に説明する。
【００８５】
　図９は、本発明の他の実施例によるＨＤＴＶの等化器の等化方法を示すフローチャートである。
　図９を参照すれば、ＨＤＴＶの等化器の等化方法９００は、データ信号及びトレーニング・シーケンスを含む入力信号を受信し、入力信号のトレーニングモードとブラインドモードとを利用して入力信号の歪曲を補償するＨＤＴＶの等化器の等化方法において、入力信号を受信してフィールド同期信号を検出して等化器の係数を初期化する（９１０段階）。入力信号のトレーニングモードとブラインドモードとを繰り返して等化器を動作させる（９２０段階）。９２０段階の動作回数が任意に定められた第１臨界適応回数内で、等化器から出力される等化器出力信号が収束されるか否かを判断する（９３０段階）。等化器出力信号が収束されれば、等化器出力信号を所定の復号器に印加して等化器出力信号に存在する誤差を補償した復号器出力信号を等化器内部のフィードバッグフィルタにフィードバッグさせて、９２０段階に戻り、等化器出力信号が収束されなければ、９１０段階に戻る。
【００８６】
　以下、図５及び図９を参照して本発明の第３実施例によるＨＤＴＶの等化器の動作及び等化方法を詳細に説明する。
　図５の等化器５００は図４の等化器４００の入力信号再利用部４１０を除き、図４の等化器４００と同じ動作をする。
　すなわち、図４の等化器４００では入力信号ＩＮＤＡＴＡは入力信号再利用部４１０を通じてフィルタ部４３０に印加される。しかし、図５の等化器５００では入力信号再利用モード動作が存在しない。フィルタ部５１０は直接入力信号ＩＮＤＡＴＡを受信する。
【００８７】
　入力信号ＩＮＤＡＴＡを受信し、フィールド同期信号ＦＳＹＮＣを検出して等化器５００の係数を初期化する９１０段階と入力信号ＩＮＤＡＴＡのトレーニングモードとブラインドモードとを繰り返して等化器５００を動作させる９２０段階の動作及び９２０段階の動作回数が任意に定められた第１臨界適応回数内で等化器５００から出力される等化器出力信号ＥＱＯＵＴが収束されるか否かを判断する９３０段階の動作は図４の等化器４００の動作と同一である。
【００８８】
　等化器出力信号ＥＱＯＵＴが収束されなければ、直ちに９１０段階の動作に戻される。等化器出力信号ＥＱＯＵＴが収束されれば、収束された等化器出力信号ＥＱＯＵＴを復号器５６０に印加する。復号器５６０は図４の復号器４８０と同じ動作によって復号器出力信号ＤＥＣＯＵＴを出力する。復号器出力信号ＤＥＣＯＵＴはフィードバッグフィルタ５２０に入力される。フィードバッグフィルタ５２０も図４のフィードバッグフィルタ４４０と同じ動作によって第２出力信号ＦＯＵＴ２及び第３出力信号ＦＯＵＴ３を出力する。
　すなわち、図５の等化器５００は入力信号ＩＮＤＡＴＡを再利用する動作をしない点を除いては図４の等化器４００の動作と同一であるので、図５の等化器５００の動作についての詳細な説明は省略する。
【００８９】
　以上のように、図面と明細書で最適実施例が開示された。ここで特定の用語が使われたが、これは単に本発明を説明するための目的で使われたものであり、意味限定や特許請求項の範囲に記載された本発明の技術的範囲を制限するために使われたものではない。したがって、本技術分野の当業者であれば、これより多様な変形及び均等な他の実施例が可能である点が理解できるであろう。したがって、本発明の真の技術的保護範囲は特許請求の範囲の技術的思想によって定められねばならない。
【産業上の利用可能性】
【００９０】
　本発明は、信号歪曲を補償できるＨＤＴＶの等化器に係り、デジタル放送の信号伝送分野に利用できる。
【図面の簡単な説明】
【００９１】
【図１】ＨＤＴＶに伝送されるデータフレームの構造を示す図である。
【図２】一般的な等化器を示すブロック図である。
【図３】本発明の第１実施例によるＨＤＴＶの等化器を示すブロック図である。
【図４】本発明の第２実施例によるＨＤＴＶの等化器を示すブロック図である。
【図５】本発明の第３実施例によるＨＤＴＶの等化器を示すブロック図である。
【図６】本発明の他の実施例によるＨＤＴＶの等化器の等化方法を示すフローチャートである。
【図７】図６の等化方法に追加される復号器動作を示すフローチャートである。
【図８】図６の６４０段階を説明するフローチャートである。
【図９】本発明の他の実施例によるＨＤＴＶの等化器の等化方法を示すフローチャートである。
【符号の説明】
【００９２】
　　　４００　　等化器
　　　４１０　　入力信号再利用部
　　　４３０　　フィルタ部
　　　４３５　　フィードフォワードフィルタ
　　　４４０　　フィードバッグフィルタ
　　　４４５　　第１フィードバッグフィルタ
　　　４５０　　第２フィードバッグフィルタ
　　　４５５　　第１演算部
　　　４６０　　第２演算部
　　　４６５　　誤差演算部
　　　４７０　　決定部
　　　４７５　　第３演算部
　　　４８０　　復号器
【図１】
2004080789.tif 000003
【図２】
2004080789.tif 000004
【図３】
2004080789.tif 000005
【図４】
2004080789.tif 000006
【図５】
2004080789.tif 000007
【図６】
2004080789.tif 000008
【図７】
2004080789.tif 000009
【図８】
2004080789.tif 000010
【図９】
2004080789.tif 000011